(57)【要約】【課題】電動工具本体に供給する電力量の調整が可能な電池ユニット、アダプタ、電動工具システム、充電システムを提供する。【解決手段】電池ユニット１は、電動工具本体３に取り外し可能に取り付けられる。電池ユニット１は、第１電池モジュールＥ１と、工具接続部１１と、バッテリー接続部１２と、接続回路１３と、を備える。工具接続部１１は、電動工具本体３と電気的に接続される。バッテリー接続部１２は、第２電池モジュールＥ２を有する増設バッテリー２が電気的に接続される。接続回路１３は、第１電池モジュールＥ１及び第２電池モジュールＥ２を、工具接続部１１に対して、電気的に直列又は並列に接続する。【選択図】図１
2020089111.tif 000002
【特許請求の範囲】
【請求項１】
電動工具本体に取り外し可能に取り付けられる電池ユニットであって、
第１電池モジュールと、
前記電動工具本体と電気的に接続される工具接続部と、
第２電池モジュールを有する増設バッテリーが電気的に接続されるバッテリー接続部と、
前記第１電池モジュール及び前記第２電池モジュールを、前記工具接続部に対して、電気的に直列又は並列に接続する接続回路と、を備える、
電池ユニット。
【請求項２】
前記接続回路は、前記第１電池モジュール及び前記第２電池モジュールの接続状態を、直列と並列とで切替可能である、
請求項１に記載の電池ユニット。
【請求項３】
前記増設バッテリーは、前記電動工具本体に対して直接的に取り付け可能である、
請求項１又は２に記載の電池ユニット。
【請求項４】
前記バッテリー接続部は、前記増設バッテリーを複数接続可能である、
請求項１〜３のいずれか１項に記載の電池ユニット。
【請求項５】
前記第１電池モジュールと前記第２電池モジュールとの間で過電流が流れることを抑制する保護回路を、更に備える、
請求項１〜４のいずれか１項に記載の電池ユニット。
【請求項６】
前記第１電池モジュールを収容し、前記工具接続部及び前記バッテリー接続部を含む筐体を、更に備える、
請求項１〜５のいずれか１項に記載の電池ユニット。
【請求項７】
前記第１電池モジュールを有する電池パックと、
前記工具接続部及び前記バッテリー接続部を有するアダプタと、を更に備え、
前記アダプタは、前記電池パックが電気的に接続される電池パック接続部を更に有する、
請求項１〜５のいずれか１項に記載の電池ユニット。
【請求項８】
請求項７に記載の電池ユニットに用いられる、
アダプタ。
【請求項９】
請求項１〜７のいずれか１項に記載の電池ユニットと、
前記電動工具本体と、を備える、
電動工具システム。
【請求項１０】
請求項１〜７のいずれか１項に記載の電池ユニットと、
前記第１電池モジュールを充電する充電器と、を備える、
充電システム。
【発明の詳細な説明】
【技術分野】
【０００１】
本開示は、一般に電池ユニット、アダプタ、電動工具システム、充電システムに関し、より詳細には電動工具本体に取り付けられる電池ユニット、アダプタ、電動工具システム、充電システムに関する。
【背景技術】
【０００２】
従来、電動工具に装着される電池パック（電池ユニット）がある（例えば、特許文献１参照）。
【０００３】
特許文献１に記載の電池パックは、複数の二次電池を接続してなる組電池と、組電池の正極並びに負極とそれぞれ接続される一対の電源端子と、を備えている。電池パックは、電動工具に装着されたときに電動工具に電力を供給する。
【先行技術文献】
【特許文献】
【０００４】
【特許文献１】特開２００７−１４３２８４号公報
【発明の概要】
【発明が解決しようとする課題】
【０００５】
従来の電池パックでは、組電池の出力電圧及び容量が一定であり、電動工具に供給する電力量の調整ができなかった。
【０００６】
本開示は、上記事由に鑑みてなされており、その目的は、電動工具本体に供給する電力量の調整が可能な電池ユニット、アダプタ、電動工具システム、充電システムを提供することにある。
【課題を解決するための手段】
【０００７】
本開示の一態様に係る電池ユニットは、電動工具本体に取り外し可能に取り付けられる。前記電池ユニットは、第１電池モジュールと、工具接続部と、バッテリー接続部と、接続回路と、を備える。前記工具接続部は、前記電動工具本体と電気的に接続される。前記バッテリー接続部は、第２電池モジュールを有する増設バッテリーが電気的に接続される。前記接続回路は、前記第１電池モジュール及び前記第２電池モジュールを、前記工具接続部に対して、電気的に直列又は並列に接続する。
【０００８】
本開示の一態様に係るアダプタは、前記工具接続部及び前記バッテリー接続部を有する。前記アダプタは、前記第１電池モジュールを有する電池パックが電気的に接続される電池パック接続部を更に有する。
【０００９】
本開示の一態様に係る電動工具システムは、前記電池ユニットと、前記電動工具本体と、を備える。
【００１０】
本開示の一態様に係る充電システムは、前記電池ユニットと、前記第１電池モジュールを充電する充電器と、を備える。
【発明の効果】
【００１１】
本開示では、電動工具本体に供給する電力量を調整することができるという効果がある。
【図面の簡単な説明】
【００１２】
【図１】図１は、本開示の実施形態１に係る電池ユニットを含む電動工具システムのブロック図である。
【図２】図２は、同上の電動工具システムの外観斜視図である。
【図３】図３Ａは、同上の電池ユニットの外観斜視図である。図３Ｂは、同上の電池ユニットの平面図である。
【図４】図４は、本開示の実施形態１に係る充電システムのブロック図である。
【図５】図５は、本開示の実施形態２に係る電動工具システムの外観斜視図である。
【図６】図６は、同上の電動工具システムのブロック図である。
【図７】図７は、実施形態２の第１変形例に係る電動工具システムのブロック図である。
【図８】図８は、実施形態２の第２変形例に係る電動工具システムのブロック図である。
【発明を実施するための形態】
【００１３】
以下に説明する各実施形態及び変形例は、本開示の一例に過ぎず、本開示は、実施形態及び変形例に限定されない。この実施形態及び変形例以外であっても、本開示の技術的思想を逸脱しない範囲であれば、設計等に応じて種々の変更が可能である。
【００１４】
（実施形態１）
・概要
本実施形態に係る電池ユニット１の回路図を図１に示し、電池ユニット１の概略構成図を図２に示す。
【００１５】
本実施形態の電池ユニット１は、電池パック１０で構成されており、電動工具本体３に取り外し可能に取り付けられる。電池ユニット１は、電動工具本体３に取り付けられることにより、電動工具本体３に電力を供給する電源として機能する。
【００１６】
電池ユニット１は、増設バッテリー２が取り付け可能に構成されている。
【００１７】
電池ユニット１は、第１電池モジュールＥ１と、工具接続部１１と、バッテリー接続部１２と、接続回路１３と、を備えている。工具接続部１１は、電動工具本体３と電気的に接続される。バッテリー接続部１２は、第２電池モジュールＥ２を有する増設バッテリー２が電気的に接続される。接続回路１３は、第１電池モジュールＥ１及び第２電池モジュールＥ２を、工具接続部１１に対して、電気的に直列又は並列に接続（直列接続又は並列接続）する。
【００１８】
本実施形態の電池ユニット１では、第１電池モジュールＥ１と、増設バッテリー２が有する第２電池モジュールＥ２との出力電力を合わせて電動工具本体３に供給することができるので、電動工具本体３に供給する電力量の調整を図ることができる。
【００１９】
・構成
以下に、本実施形態に係る電池ユニット１、及び電動工具システム１００の詳細な構成について説明する。
【００２０】
本実施形態の電動工具システム１００は、電動工具本体３と電池ユニット１とを備えている。
【００２１】
本実施形態では、電動工具本体３は、例えば電動のインパクトレンチ（図２参照）である。電動工具本体３は、筒形状の胴体部３１と、胴体部３１の周面から径方向に突出するグリップ３２と、電池ユニット１が装着される装着部３３と、を有している。
【００２２】
胴体部３１には、駆動部が収容されている。駆動部は、モータを有しており、動力源である電池ユニット１から供給される電力を動力として回転動作するように構成されている。胴体部３１の軸方向における一端側からは出力軸３４１が突出している。出力軸３４１は、駆動部の回転動作によって回転するように構成されている。出力軸３４１には、締付部品（ボルト、ナット等）を締め付ける又は緩めるための円筒状のソケット３４２が取り付けられる。電動工具本体３は、駆動部の回転動作によって出力軸３４１が回転することにより、締付部品を締め付ける又は緩めるといった作業が可能となる。
【００２３】
グリップ３２は、作業者が作業を行う際に握る部分であり、トリガスイッチ３２１、及び正逆切替スイッチ３２２が設けられている。トリガスイッチ３２１は、駆動部の回転動作のオン／オフを制御するためのスイッチであり、引込量に応じて駆動部の回転数の調整が可能である。正逆切替スイッチ３２２は、出力軸３４１の回転方向を正転と逆転とに切り替えるスイッチである。グリップ３２における胴体部３１と反対側の端部には装着部３３が設けられている。
【００２４】
装着部３３は、扁平な矩形体状に形成されており、グリップ３２と反対側の一面に電池ユニット１が装着される。装着部３３に電池ユニット１が装着されることにより、電池ユニット１から駆動部などに電力が供給される。
【００２５】
また、装着部３３には、操作パネル３３１が設けられている。操作パネル３３１は、例えば、複数の押ボタンスイッチ３３２、及び複数のＬＥＤ３３３（Light Emitting Diode）を備えており、電動工具本体３の種々の設定、状態確認等を行うことができる。作業者は、例えば、操作パネル３３１（押ボタンスイッチ３３２）を操作することにより、電動工具本体３の動作モードの変更等を行うことができる。
【００２６】
本実施形態の電池ユニット１は、電池パック１０で構成されている。電池パック１０は、電動工具本体３の装着部３３に対して着脱自在である。電池パック１０は、筐体１０１を備えている。筐体１０１は、第１電池モジュールＥ１を収容し、工具接続部１１及びバッテリー接続部１２を含む。
【００２７】
第１電池モジュールＥ１は、いわゆる組電池あり、複数の二次電池を備えている。複数の二次電池の各々が、単電池（セル）である。二次電池は、例えばリチウムイオン電池である。第１電池モジュールＥ１では、定格電圧、定格容量などの仕様に応じて、複数の二次電池が直列接続及び並列接続されている。例えば、リチウムイオン電池の定格電圧は、３．６Ｖである。第１電池モジュールＥ１の定格電圧を１８Ｖとする場合、５つのリチウムイオン電池が直列接続される。また、第１電池モジュールＥ１の定格容量に応じて、５つのリチウムイオン電池の直列回路が、複数（例えば２つ、３つなど）並列接続される。第１電池モジュールＥ１は、筐体１０１に収容されている。
【００２８】
筐体１０１は、図３Ａ、図３Ｂに示すように、ボディ１０２と、ボディ１０２に結合されたカバー１０３と、を含む。ボディ１０２は、カバー１０３側が開放された箱状である。ボディ１０２は、第１電池モジュールＥ１を収容している。カバー１０３は、ボディ１０２側が開放された箱状である。
【００２９】
カバー１０３は、ボディ１０２側とは反対側の一面１０３１から突出している突台部１０３２を含む。突台部１０３２は、偏平な直方体状である。ボディ１０２は、合成樹脂成形品である。ボディ１０２の材料は、例えば、ＡＢＳ樹脂である。ボディ１０２は、電気絶縁性を有する。カバー１０３は、合成樹脂成形品である。カバー１０３の材料は、例えば、ＡＢＳ樹脂である。カバー１０３は、電気絶縁性を有する。
【００３０】
突台部１０３２には、工具接続部１１が設けられている（図３Ａ参照）。工具接続部１１は、電動工具本体３との電気的な接続に用いられる複数（本実施形態では３つ）の接続端子として正極端子１１１、負極端子１１２、正極端子１１３を備えている。図１に示すように、正極端子１１１及び正極端子１１３は、第１電池モジュールＥ１の正極に接続されている。具体的には、正極端子１１１は、スイッチＳＷ１及び保護回路１４を介して、第１電池モジュールＥ１の正極に接続されている。負極端子１１２は、第１電池モジュールＥ１の負極に接続されている。電池ユニット１では、第１電池モジュールＥ１の放電には、正極端子１１１及び負極端子１１２が利用される。
【００３１】
また、工具接続部１１は、充電器４（図４参照）との電気的な接続にも用いられる。電池ユニット１では、充電器４による第１電池モジュールＥ１の充電には、正極端子１１３及び負極端子１１２が利用される。
【００３２】
また、筐体１０１の突台部１０３２には、第１通信用コネクタ１１４が設けられている。第１通信用コネクタ１１４は、電動工具本体３及び充電器４と通信するためのインタフェースとして利用されるコネクタである。第１通信用コネクタ１１４は、電動工具本体３及び充電器４への電池情報の出力に用いられる。電池情報とは、例えば温度情報、定格電圧情報等である。温度情報は、第１電池モジュールＥ１の温度の情報である。定格電圧情報は、第１電池モジュールＥ１の定格電圧の情報である。
【００３３】
電池ユニット１（電池パック１０）は、増設バッテリー２が着脱自在である。筐体１０１のボディ１０２は、カバー１０３側とは反対側の一面１０２１にバッテリー接続部１２が設けられている。バッテリー接続部１２は、増設バッテリー２との電気的な接続に用いられる。
【００３４】
本実施形態では、増設バッテリー２は、電池ユニット１（電池パック１０）と同様の構成である。ただし、本実施形態では、増設バッテリー２は、電池ユニット１におけるバッテリー接続部１２が省略されている。以下の説明では、増設バッテリー２が備える各構成要素において、本実施形態の電池ユニット１が備える各構成要素と同様の構成については共通の符号を付し、さらに符号の末尾に「Ｅ」を付して説明を省略する。
【００３５】
増設バッテリー２は、筐体１０１Ｅを備えており、筐体１０１Ｅに第２電池モジュールＥ２を収容している。第２電池モジュールＥ２は、いわゆる組電池であり、複数の二次電池を備えている。複数の二次電池の各々が、単電池（セル）である。二次電池は、例えばリチウムイオン電池である。第２電池モジュールＥ２では、定格電圧、定格容量などの仕様に応じて、複数の二次電池が直列接続及び並列接続されている。なお、第２電池モジュールＥ２の定格電圧、定格容量などの仕様は、第１電池モジュールＥ１と同じであってもよいし、異なっていてもよい。第２電池モジュールＥ２の正極は、正極端子１１１Ｅ及び正極端子１１３Ｅに接続されている。第２電池モジュールＥ２の負極は、負極端子１１２Ｅに接続されている。
【００３６】
増設バッテリー２は、電池ユニット１（電池パック１０）と同様に、工具接続部１１Ｅを備えている。工具接続部１１Ｅは、正極端子１１１Ｅ、負極端子１１２Ｅ、及び正極端子１１３Ｅを備えている。したがって、増設バッテリー２は、電動工具本体３に対して直接的に取り付け可能である。増設バッテリー２は、単体で電動工具本体３の電源としても機能する。
【００３７】
バッテリー接続部１２は、筐体１０１のボディ１０２における一面１０２１に形成されており、増設バッテリー２の突台部を収容する凹部１０２２を有する。凹部１０２２の開口形状は、矩形状である。凹部は、長手方向の一端側が開放されている。
【００３８】
バッテリー接続部１２は、増設バッテリー２の工具接続部１１Ｅが有する正極端子１１１Ｅ、及び負極端子１１２Ｅとそれぞれ接続される正極入力端子１２１、及び負極入力端子１２２を備えている。負極入力端子１２２は、接続回路１３を介して第１電池モジュールＥ１と接続されている。接続回路１３の構成は後述する。
【００３９】
また、バッテリー接続部１２は、増設バッテリー２の第１通信用コネクタ１１４Ｅと接続可能な第２通信用コネクタ１２３を備えている。
【００４０】
電池ユニット１に増設バッテリー２が装着されることにより、電池ユニット１の正極入力端子１２１及び負極入力端子１２２が、それぞれ増設バッテリー２の正極端子１１１Ｅ及び負極端子１１２Ｅと電気的に接続される。また、電池ユニット１に増設バッテリー２が装着されることにより、電池ユニット１の第２通信用コネクタ１２３が、増設バッテリー２の第１通信用コネクタ１１４Ｅと電気的に接続される。
【００４１】
また、電池ユニット１は、バッテリー接続部１２を保護するために、保護プレート１２０を備えている。保護プレート１２０は、正極入力端子１２１、負極入力端子１２２、及び第２通信用コネクタ１２３の各々の上面を露出させた状態で凹部１０２２の開口を覆う。保護プレート１２０は、保護プレート１２０の裏面側に設けられたコイルばねにより支持されている。したがって、電池ユニット１に増設バッテリー２を装着する場合、コイルばねのばね力に抗して増設バッテリー２の突台部を電池ユニット１の凹部１０２２に挿入する。
【００４２】
本実施形態の電池ユニット１では、筐体１０１の内部に接続回路１３及び保護回路１４が設けられている。接続回路１３及び保護回路１４について、図１を参照して説明する。
【００４３】
接続回路１３は、第１電池モジュールＥ１及び第２電池モジュールＥ２を、工具接続部１１に対して、電気的に直列又は並列に接続するように構成されている。具体的には、接続回路１３は、第１電池モジュールＥ１及び第２電池モジュールＥ２を、工具接続部１１における正極端子１１１と負極端子１１２との間に、電気的に直列又は並列に接続（直列接続又は並列接続）する。本実施形態では、接続回路１３は、第１電池モジュールＥ１及び第２電池モジュールＥ２の接続状態を、直列接続と並列接続とで切替可能に構成されている。
【００４４】
接続回路１３は、スイッチＳＷ１と、スイッチＳＷ２と、スイッチ制御部１３１と、を備えている。
【００４５】
スイッチＳＷ１は、ｃ接点型スイッチであり、共通端子Ｔ１０と、第１端子Ｔ１１と、第２端子Ｔ１２と、を備えている。スイッチＳＷ１は、第１端子Ｔ１１と第２端子Ｔ１２とのいずれか一方と、共通端子Ｔ１０とを電気的に接続する。ただし、ここでいう「端子」は、電線等を接続するための部品でなくてもよく、例えば、電子部品のリード、又は回路基板に含まれる導体の一部であってもよい。スイッチＳＷ１は、機械式スイッチであってもよいし、例えばＭＯＳＦＥＴ（Metal Oxide Semiconductor Field Effect Transistor）などの半導体型のスイッチ素子を複数備えた構成であってもよい。スイッチＳＷ１が複数のスイッチ素子を備えた構成である場合、例えば、第１スイッチ素子が共通端子Ｔ１０と第１端子Ｔ１１との間に接続され、第２スイッチ素子が共通端子Ｔ１０と第２端子Ｔ１２との間に接続される。そして、第１スイッチ素子と第２スイッチ素子とのいずれか一方がオンされる。
【００４６】
スイッチＳＷ１において、共通端子Ｔ１０と第１端子Ｔ１１とが導通している状態を第１状態とし、共通端子Ｔ１０と第２端子Ｔ１２とが導通している状態を第２状態とする。
【００４７】
共通端子Ｔ１０は、保護回路１４を介して第１電池モジュールＥ１の正極と電気的に接続されている。保護回路１４の詳細な説明は後述する。第１端子Ｔ１１は、工具接続部１１における正極端子１１１、及びバッテリー接続部１２における正極入力端子１２１と電気的に接続されている。第２端子Ｔ１２は、バッテリー接続部１２における負極入力端子１２２と電気的に接続されている。
【００４８】
スイッチＳＷ２は、第１電池モジュールＥ１の負極、及び工具接続部１１における負極端子１１２と、バッテリー接続部１２における負極入力端子１２２との間に接続されている。スイッチＳＷ２の一端は、第１電池モジュールＥ１の負極、及び工具接続部１１における負極端子１１２と電気的に接続されている。スイッチＳＷ２の他端は、バッテリー接続部１２における負極入力端子１２２と電気的に接続されている。スイッチＳＷ２は、機械式スイッチであってもよいし、例えばＭＯＳＦＥＴなどの半導体型のスイッチ素子であってもよい。
【００４９】
スイッチ制御部１３１は、スイッチＳＷ１及びスイッチＳＷ２を制御する。スイッチ制御部１３１は、例えばメモリ、プロセッサを有するマイコン（マイクロコンピュータ）であり、プロセッサがメモリに格納されたプログラムを実行することにより種々の機能を実現する。プログラムは、予めメモリに記憶されていてもよいし、メモリカードなどの非一時的な記憶媒体に記録されて提供されてもよいし、電気通信回線を通して提供されてもよい。
【００５０】
スイッチ制御部１３１は、スイッチＳＷ１及びスイッチＳＷ２を制御することにより、第１電池モジュールＥ１と第２電池モジュールＥ２とを直列接続又は並列接続する。スイッチ制御部１３１は、第１通信用コネクタ１１４と電気的に接続されており、第１通信用コネクタ１１４を介して受信した電動工具本体３からの制御信号に基づいて、スイッチＳＷ１及びスイッチＳＷ２を制御する。電動工具本体３において、操作パネル３３１は、第１電池モジュールＥ１と第２電池モジュールＥ２との電気的な接続状態（直列接続又は並列接続）を指示するための操作入力を受け付ける。電動工具本体３は、操作パネル３３１が受け付けた操作入力に基づいて、電池ユニット１に制御信号を出力する。制御信号は、第１電池モジュールＥ１と第２電池モジュールＥ２との電気的な接続状態（直列接続又は並列接続）の指示が含まれている。
【００５１】
第１電池モジュールＥ１と第２電池モジュールＥ２とを並列接続する場合、スイッチ制御部１３１は、スイッチＳＷ１を第１状態（共通端子Ｔ１０と第１端子Ｔ１１とが導通した状態）とし、スイッチＳＷ２をオン状態とする。これにより、増設バッテリー２の負極端子１１２ＥがスイッチＳＷ２を介して第１電池モジュールＥ１の負極と電気的に接続される。したがって、工具接続部１１における正極端子１１１と負極端子１１２との間に、第１電池モジュールＥ１と第２電池モジュールＥ２とが並列接続された状態となる。第１電池モジュールＥ１と第２電池モジュールＥ２とが並列接続された場合、第１電池モジュールＥ１の容量と第２電池モジュールＥ２の容量とが足し合わされる。そのため、電池モジュール（電池パック１０）単体が電動工具本体３に電力を供給する場合に比べて、電動工具本体３に供給される電力量が増加する。これにより、電動工具本体３の使用時間の延長を図ることができる。また、第１電池モジュールＥ１と第２電池モジュールＥ２とが並列接続されることによって、電池モジュール（電池パック１０）単体が電動工具本体３に電力を供給する場合に比べて、電動工具本体３に供給する電流を増加させることができる。
【００５２】
第１電池モジュールＥ１と第２電池モジュールＥ２とを直列接続する場合、スイッチ制御部１３１は、スイッチＳＷ１を第２状態（共通端子Ｔ１０と第２端子Ｔ１２とが導通した状態）とし、スイッチＳＷ２をオフ状態とする。これにより、増設バッテリー２の負極端子１１２ＥがスイッチＳＷ１を介して第１電池モジュールＥ１の正極と電気的に接続される。したがって、工具接続部１１における正極端子１１１と負極端子１１２との間に、第１電池モジュールＥ１と第２電池モジュールＥ２とが直列接続された状態となる。第１電池モジュールＥ１と第２電池モジュールＥ２とが直列接続された場合、第１電池モジュールＥ１の出力電圧（両端間電圧）と第２電池モジュールＥ２の出力電圧（両端間電圧）とが足し合わされる。そのため、電池ユニット１（電池パック１０）単体が電動工具本体３に電力を供給する場合に比べて、電動工具本体３に供給される電力量が増加、より具体的には電動工具本体３に印加される電圧が増加する。
【００５３】
このように本実施形態の電池ユニット１では、増設バッテリー２が装着されることにより、電動工具本体３に供給する電力量の調整（増加）を図ることができる。これにより、例えば、ユーザは、複数の電動工具本体３ごとに電池パックを準備する必要がなく、電動工具本体３の仕様に応じて電池ユニット１と増設バッテリー２とを組み合わせて電動工具本体３に装着することができる。したがって、ユーザの利便性の向上を図ることができる。
【００５４】
また、スイッチ制御部１３１は、通常状態では、スイッチＳＷ１を第１状態（共通端子Ｔ１０と第１端子Ｔ１１とが導通した状態）とし、スイッチＳＷ２をオフ状態としている。ここでの「通常状態」とは、スイッチ制御部１３１が電動工具本体３からの制御信号を受信していない状態である。つまり、スイッチ制御部１３１は、電動工具本体３からの制御信号を受信した場合に、第１電池モジュールＥ１とバッテリー接続部１２とを電気的に接続する。言い換えれば、スイッチ制御部１３１は、電動工具本体３からの制御信号を受信していない場合、第１電池モジュールＥ１とバッテリー接続部１２とを電気的に切り離している。したがって、電池ユニット１に増設バッテリー２を装着しただけでは、第１電池モジュールＥ１と第２電池モジュールＥ２とが電気的に接続されない。
【００５５】
また、本実施形態では、スイッチ制御部１３１は、電動工具本体３からの制御信号、及び第２通信用コネクタ１２３を介して受信した増設バッテリー２の電池情報に基づいて、スイッチＳＷ１及びスイッチＳＷ２を制御する。つまり、本実施形態の接続回路１３は、増設バッテリー２の電池情報に基づいて、第１電池モジュールＥ１と第２電池モジュールＥ２との電気的な接続の可否を判断する。そして、接続回路１３は、第１電池モジュールＥ１と第２電池モジュールＥ２との電気的な接続が可能であると判断したとする。この場合、接続回路１３は、工具接続部１１における正極端子１１１と負極端子１１２との間に、第１電池モジュールＥ１と第２電池モジュールＥ２とを電気的に直列接続又は並列接続する。
【００５６】
定格電圧が互いに異なる第１電池モジュールＥ１と第２電池モジュールＥ２とを並列接続した場合、定格電圧が高い方の電池モジュールのみから電動工具本体３に電力が供給される。したがって、結果的に第１電池モジュールＥ１と第２電池モジュールＥ２との容量が足し合わされない。また、定格電圧が高い方の電池モジュールから定格電圧が低い方の電池モジュールに電流が流れるおそれがある。
【００５７】
スイッチ制御部１３１は、第１電池モジュールＥ１と第２電池モジュールＥ２とを並列接続する、という指示が含まれた制御信号を受信したとする。この場合、スイッチ制御部１３１は、第１電池モジュールＥ１の定格電圧の値と第２電池モジュールＥ２の定格電圧の値とを比較する。そして、スイッチ制御部１３１は、第１電池モジュールＥ１の定格電圧の値と、第２電池モジュールＥ２の定格電圧の値との差が、閾値未満である場合、スイッチＳＷ２をオン状態にする。つまり、スイッチ制御部１３１は、第１電池モジュールＥ１と第２電池モジュールＥ２とを並列接続する。一方、スイッチ制御部１３１は、第１電池モジュールＥ１の定格電圧の値と、第２電池モジュールＥ２の定格電圧の値との差が、閾値以上である場合、スイッチＳＷ２をオン状態にしない。つまり、スイッチ制御部１３１は、第１電池モジュールＥ１と第２電池モジュールＥ２とを並列接続しない。これにより、定格電圧が互いに異なる第１電池モジュールＥ１と第２電池モジュールＥ２とが並列接続されることが抑制される。
【００５８】
なお、スイッチ制御部１３１は、第１電池モジュールＥ１の出力電圧（両端電圧）と第２電池モジュールＥ２の出力電圧（両端電圧）とを比較してもよい。この場合、スイッチ制御部１３１は、第１電池モジュールＥ１の出力電圧の値と第２電池モジュールＥ２の出力電圧の値との差が閾値以上である場合、第１電池モジュールＥ１と第２電池モジュールＥ２とを並列接続しない。これにより、例えば、第１電池モジュールＥ１と第２電池モジュールＥ２との定格電圧が互いに同じであっても、一方の電池モジュールの出力電圧が定格電圧よりも低下している場合、第１電池モジュールＥ１と第２電池モジュールＥ２とが並列接続されない。
【００５９】
また、第１電池モジュールＥ１と第２電池モジュールＥ２とを直列接続した場合、電動工具本体３の入力電圧の上限値を超える電圧が電動工具本体３に印加されるおそれがある。
【００６０】
そこで、スイッチ制御部１３１は、第１電池モジュールＥ１と第２電池モジュールＥ２とを直列接続する、という指示が含まれた制御信号を受信したとする。制御信号には、電動工具本体３の入力電圧の上限値を示す情報が含まれている。スイッチ制御部１３１は、第１電池モジュールＥ１の定格電圧と第２電池モジュールＥ２の定格電圧との合計と、電動工具本体３の入力電圧の上限値とを比較する。そして、第１電池モジュールＥ１の定格電圧の値と第２電池モジュールＥ２の定格電圧の値との合計値が、電動工具本体３の入力電圧の上限値以下であるとする。この場合、スイッチ制御部１３１は、スイッチＳＷ１を第２状態とする、つまり、スイッチ制御部１３１は、第１電池モジュールＥ１と第２電池モジュールＥ２とを直列接続する。一方、スイッチ制御部１３１は、第１電池モジュールＥ１の定格電圧の値と第２電池モジュールＥ２の定格電圧の値との合計値が、電動工具本体３の入力電圧の上限値より大きい場合、スイッチＳＷ１を第２状態にしない。つまり、スイッチ制御部１３１は、第１電池モジュールＥ１と第２電池モジュールＥ２とを直列接続しない。これにより、電動工具本体３の入力電圧の上限値を超える電圧が電動工具本体３に印加されることが抑制される。
【００６１】
また、スイッチ制御部１３１は、第１電池モジュールＥ１と第２電池モジュールＥ２との電気的な接続（直列接続又は並列接続）が不可であると判断した場合、電動工具本体３から接続エラーを通知させる。通知方法は、例えばエラー音の発生、エラー表示等がある。これにより、ユーザは、第１電池モジュールＥ１と第２電池モジュールＥ２との電気的な接続が不可であることを認識することができる。
【００６２】
次に、保護回路１４について説明する。保護回路１４は、第１電池モジュールＥ１と第２電池モジュールＥ２との間で過電流が流れることを抑制するように構成されている。ここでいう「過電流」とは、第１電池モジュールＥ１及び第２電池モジュールＥ２の定格電流の値よりも大きい値の電流である。
【００６３】
保護回路１４は、第１スイッチの基準端子と第１電池モジュールＥ１の正極との間に、電気的に接続されている。保護回路１４は、ヒューズＦ１とダイオードＤ１とを備えている。ヒューズＦ１とダイオードＤ１とは、スイッチＳＷ１の共通端子Ｔ１０と第１電池モジュールＥ１の正極との間に直列接続されている。
【００６４】
ヒューズＦ１は、過電流が流れると電流経路を遮断するように構成されている。したがって、ヒューズＦ１の遮断により、第１電池モジュールＥ１と第２電池モジュールＥ２との間で過電流が流れることが抑制される。なお、ヒューズＦ１の代わりに、ＰＴＣサーミスタ（PTC: Positive Temperature Coefficient）などの電流制限素子が設けられていてもよい。電流制限素子は、所定値以上の電流が流れた場合に抵抗値が増大するように構成されている。電流制限素子の自己発熱によって抵抗値が増大することによって、第１電池モジュールＥ１と第２電池モジュールＥ２との間で過電流が流れることが抑制される。
【００６５】
ダイオードＤ１は、アノードが第１電池モジュールＥ１の正極と電気的に接続され、カソードがヒューズＦ１を介してスイッチＳＷ１の共通端子Ｔ１０と電気的に接続されている。ダイオードＤ１は、第１電池モジュールＥ１と第２電池モジュールＥ２とが並列接続されている場合、第２電池モジュールＥ２から第１電池モジュールＥ１に電流が流れることを抑制する。つまり、ダイオードＤ１は、第１電池モジュールＥ１への電流の逆流を抑制する。
【００６６】
電池ユニット１（電池パック１０）と同様に、増設バッテリー２は、ダイオードＤ２を備えている。ダイオードＤ２は、アノードが第２電池モジュールＥ２の正極と電気的に接続され、カソードが正極端子１１１Ｅと電気的に接続されている。ダイオードＤ２は、第１電池モジュールＥ１と第２電池モジュールＥ２とが並列接続されている場合、第１電池モジュールＥ１から第２電池モジュールＥ２に電流が流れることを抑制する。つまり、ダイオードＤ２は、第２電池モジュールＥ２への電流の逆流を抑制する。
【００６７】
次に、本実施形態の係る充電システム４００について図４を参照して説明する。
【００６８】
充電システム４００は、電池ユニット１と充電器４とを備えている。
【００６９】
充電器４は、充電回路４１を備えている。充電器４は、電池ユニット１（電池パック１０）又は増設バッテリー２を装着可能な接続ポートを複数（例えば２つ）備えている。したがって、電池ユニット１（電池パック１０）と増設バッテリー２との両方を充電器４に装着することができる。
【００７０】
充電回路４１は、接続ポートに電池ユニット１（電池パック１０）が装着されている場合、工具接続部１１の正極端子１１３及び負極端子１１２を介して、第１電池モジュールＥ１と電気的に接続される。また、充電回路４１は、接続ポートに増設バッテリー２が装着されている場合、工具接続部１１Ｅの正極端子１１３Ｅ及び負極端子１１２Ｅを介して、第２電池モジュールＥ２と電気的に接続される。
【００７１】
充電回路４１は、商用電源４０から供給される電力により、第１電池モジュールＥ１及び第２電池モジュールＥ２を充電する。
【００７２】
電池ユニット１（電池パック１０）における正極端子１１３は、ダイオードＤ１のアノードと第１電池モジュールＥ１の正極との接続点と電気的に接続されている。つまり、正極端子１１３は、ダイオードＤ１を介さないで第１電池モジュールＥ１と電気的に接続されている。したがって、充電経路にダイオードＤ１が含まれていないので、充電回路４１は、第１電池モジュールＥ１を充電することができる。
【００７３】
また、増設バッテリー２における正極端子１１３Ｅは、ダイオードＤ２のアノードと第２電池モジュールＥ２の正極との接続点と電気的に接続されている。つまり、正極端子１１３Ｅは、ダイオードＤ２を介さないで第２電池モジュールＥ２と電気的に接続されている。したがって、充電経路にダイオードＤ２が含まれていないので、充電回路４１は、第２電池モジュールＥ２を充電することができる。
【００７４】
また、充電器４に装着された電池ユニット１（電池パック１０）の第１電池モジュールＥ１と、増設バッテリー２の第２電池モジュールＥ２との定格電圧が互いに同じであったとする。この場合、充電回路４１は、第１電池モジュールＥ１の出力電圧（両端電圧）と第２電池モジュールＥ２の出力電圧（両端電圧）との差が小さくなるように、第１電池モジュールＥ１及び第２電池モジュールＥ２を充電する。これにより、第１電池モジュールＥ１と第２電池モジュールＥ２とを並列接続した際に、第１電池モジュールＥ１の出力電圧と第２電池モジュールＥ２の出力電圧との差を小さくすることができる。
【００７５】
・変形例
次に、本実施形態の電池ユニット１の変形例について説明する。
【００７６】
上述した例では、保護回路１４のヒューズＦ１は、スイッチＳＷ１と第１電池モジュールＥ１との間に電気的に接続されているが、接続箇所は上記箇所に限定されない。例えば、ヒューズＦ１は、スイッチＳＷ１の第１端子Ｔ１１と、バッテリー接続部１２の正極入力端子１２１との間に電気的に接続されていてもよい。この場合であっても、ヒューズＦ１は、第１電池モジュールＥ１と第２電池モジュールＥ２とが並列接続されている場合に、第１電池モジュールＥ１と第２電池モジュールＥ２との間に過電流が流れることを抑制することができる。
【００７７】
また、上述した例では、増設バッテリー２は、電池ユニット１（電池パック１０）と比べてバッテリー接続部１２が省略された構成であったが、バッテリー接続部１２を備えた構成であってもよい。つまり、増設バッテリー２は、電池ユニット１（電池パック１０）と同じ構成であってもよい。この場合、増設バッテリー２に対して、更に他の増設バッテリー２を装着することができる。したがって、電動工具本体３に、３つ以上の電池パック（１つの電池ユニットと２つの増設バッテリー２）を連結して装着することができる。
【００７８】
また、上述した例では、接続回路１３のスイッチ制御部１３１は、電動工具本体３からの制御信号に基づいて、第１電池モジュールＥ１と第２電池モジュールＥ２とを電気的に接続（直列接続又は並列接続）するように構成されていたが、これに限らない。例えば、スイッチ制御部１３１は、電池ユニット１（電池パック１０）に設けられた操作スイッチ（例えばスライドスイッチなど）に基づいて、第１電池モジュールＥ１と第２電池モジュールＥ２とを電気的に接続するように構成されていてもよい。
【００７９】
また、上述した例では、接続回路１３は、第１電池モジュールＥ１と第２電池モジュールＥ２との接続状態を、直列接続と並列接続とを切り替え可能に構成されていたが、これに限らない。接続回路１３は、第１電池モジュールＥ１と第２電池モジュールＥ２とを、直列接続と並列接続とのいずれか一方で接続するように構成されていてもよい。
【００８０】
また、上述した例では、増設バッテリー２が電動工具本体３に装着可能に構成されていたが、これに限らない。増設バッテリー２は、電池ユニット１にのみ接続可能な専用バッテリーであってもよいし、電池ユニット１及び電動工具本体３以外の装置にも接続可能な汎用バッテリーであってもよい。
【００８１】
また、上述した例では、電動工具本体３は、インパクトレンチであったが、これに限らず、例えば電動ドライバ、電動ドリル、グラインダー等の他の電動工具であってもよい。
【００８２】
（実施形態２）
本実施形態に係る電池ユニット１Ａについて、図５、図６を参照して説明する。
【００８３】
本実施形態の電池ユニット１Ａは、電池パック１０Ｓと、アダプタ１５と、を備えている。
【００８４】
本実施形態では、電池パック１０Ｓは、実施形態１の電池パック１０と同様の構成である。ただし、本実施形態では、電池パック１０Ｓは、バッテリー接続部１２、及び接続回路１３等が省略されている。以下の説明では、電池パック１０Ｓが備える各構成要素において、実施形態１の電池パック１０が備える各構成要素と同様の構成については共通の符号を付し、さらに符号の末尾に「Ｓ」を付して説明を省略する。
【００８５】
電池パック１０Ｓは、第１電池モジュールＥ１を備えている。具体的には、電池パック１０Ｓは、筐体１０１Ｓに第１電池モジュールＥ１を収容している。また、電池パック１０Ｓは、工具接続部１１Ｓを備えている。したがって、電池パック１０Ｓは、電動工具本体３に取り付け可能である。電池パック１０Ｓは、単体で電動工具本体３の電源としても機能する。なお、電池パック１０Ｓは、実施形態１の電池パック１０（電池ユニット１）と同じ構成であってもよい。つまり、電池パック１０Ｓは、バッテリー接続部１２、及び接続回路１３等を備えた構成であってもよい。
【００８６】
アダプタ１５は、電池パック１０Ｓ及び増設バッテリー２の両方を電動工具本体３と電気的に接続させる。アダプタ１５は、工具接続部１１Ａ、バッテリー接続部１２Ａ、及び電池パック接続部１６を備えている。アダプタ１５は、筐体１５０を更に備えている。
【００８７】
筐体１５０は、扁平な直方体状である。筐体１５０は、合成樹脂成形品である。筐体１５０の材料は、例えた、ＡＢＳ樹脂である。筐体１５０は、電気絶縁性を有する。筐体１５０は、電動工具本体３側の第１面に工具接続部１１Ａが設けられ、電動工具本体３と反対側の第２面にバッテリー接続部１２Ａ及び電池パック接続部１６が設けられている。また、筐体１５０内に接続回路１３Ａ、保護回路１４Ａが設けられている。
【００８８】
工具接続部１１Ａは、正極端子１１１Ａ、及び負極端子１１２Ａを備えている。工具接続部１１Ａは、実施形態１の工具接続部１１と同様の構成であるので、詳細な説明を省略する。
【００８９】
電池パック接続部１６は、実施形態１のバッテリー接続部１２と同様の構成であり、正極入力端子１６１、及び負極入力端子１６２を備えている。アダプタ１５に電池パック１０Ｓが装着されることにより、正極入力端子１６１、及び負極入力端子１６２がそれぞれ電池パック１０Ｓにおける工具接続部１１Ｓの正極端子１１１Ｓ及び負極端子１１２Ｓと電気的に接続される。
【００９０】
バッテリー接続部１２Ａは、実施形態１のバッテリー接続部１２と同様の構成であり、正極入力端子１２１Ａ、及び負極入力端子１２２Ａを備えている。アダプタ１５に増設バッテリー２が装着されることにより、正極入力端子１２１Ａ、及び負極入力端子１２２Ａがそれぞれ増設バッテリー２における工具接続部１１Ｅの正極端子１１１Ｅ及び負極端子１１２Ｅと電気的に接続される。
【００９１】
なお、図６において、工具接続部１１Ａ，１１Ｓ，１１Ｅ、バッテリー接続部１２Ａ、電池パック接続部１６それぞれが有する通信用コネクタの記載を省略している。
【００９２】
アダプタ１５は、筐体１５０の内部に接続回路１３Ａ及び保護回路１４Ａが設けられている。
【００９３】
接続回路１３Ａは、スイッチＳＷ３と、スイッチＳＷ４と、スイッチ制御部１３１Ａと、を備えている。
【００９４】
スイッチＳＷ３は、共通端子Ｔ３０と第１端子Ｔ３１と第２端子Ｔ３２とを備えている。共通端子Ｔ３０は、保護回路１４Ａを介して電池パック接続部１６の正極入力端子１６１と電気的に接続されている。第１端子Ｔ３１は、工具接続部１１Ａの正極端子１１１Ａ及びバッテリー接続部１２Ａの正極入力端子１２１Ａと電気的に接続されている。第２端子Ｔ３２は、バッテリー接続部１２の負極入力端子１２２Ａと電気的に接続されている。
【００９５】
スイッチＳＷ４は、一端が工具接続部１１Ａの負極端子１１２Ａ及び電池パック接続部１６の負極入力端子１６２と電気的に接続され、他端がバッテリー接続部１２Ａの負極入力端子１２２Ａと電気的に接続されている。
【００９６】
本実施形態では、保護回路１４Ａは、ヒューズＦ１を備えている。また、電池パック１０Ｓは、正極端子１１１Ｓと第１電池モジュールＥ１の正極との間に、逆流防止用のダイオードＤ１Ｓが設けられている。
【００９７】
スイッチ制御部１３１Ａは、工具接続部１１Ａが有する通信用コネクタを介して、電動工具本体３からの制御信号を受信する。また、スイッチ制御部１３１Ａは、電池パック接続部１６が有する通信用コネクタを介して、電池パック１０Ｓの電池情報を受信する。また、スイッチ制御部１３１Ａは、バッテリー接続部１２Ａが有する通信用コネクタを介して、増設バッテリー２の電池情報を受信する。スイッチ制御部１３１は、電動工具本体３からの制御信号、電池パック１０の電池情報、及び増設バッテリー２の電池情報に基づいて、スイッチＳＷ３及びスイッチＳＷ４を制御する。スイッチ制御部１３１Ａによる第１電池モジュールＥ１と第２電池モジュールＥ２との電気的な接続可否の判断は、実施形態１と同様であるので詳細な説明を省略する。
【００９８】
第１電池モジュールＥ１と第２電池モジュールＥ２とを並列接続する場合、スイッチ制御部１３１Ａは、スイッチＳＷ３を第１状態（共通端子Ｔ３０と第１端子Ｔ３１とが導通した状態）とし、スイッチＳＷ４をオン状態とする。これにより、工具接続部１１Ａにおける正極端子１１１Ａと負極端子１１２Ａとの間に、第１電池モジュールＥ１と第２電池モジュールＥ２とが並列接続される。したがって、電池パック１０Ｓのみが電動工具本体３に電力を供給する場合に比べて、電動工具本体３に供給される電力量が増加する。これにより、電動工具本体３の使用時間の延長を図ることができる。また、第１電池モジュールＥ１と第２電池モジュールＥ２とが並列接続されることによって、電池パック１０Ｓのみが電動工具本体３に電力を供給する場合に比べて、電動工具本体３に供給する電流を増加させることができる。
【００９９】
第１電池モジュールＥ１と第２電池モジュールＥ２とを直列接続する場合、スイッチ制御部１３１Ａは、スイッチＳＷ３を第２状態（共通端子Ｔ３０と第２端子Ｔ３２とが導通した状態）とし、スイッチＳＷ４をオフ状態とする。これにより、工具接続部１１Ａにおける正極端子１１１Ａと負極端子１１２Ａとの間に、第１電池モジュールＥ１と第２電池モジュールＥ２とが直列接続される。したがって、電池パック１０Ｓのみが電動工具本体３に電力を供給する場合に比べて、電動工具本体３に供給される電力量が増加、より具体的には電動工具本体３に印加される電圧が増加する。
【０１００】
・変形例
次に、本実施形態の電池ユニット１Ａの変形例について説明する。
【０１０１】
（第１変形例）
上述した例では、電動工具本体３からの制御信号に基づいて、スイッチ制御部１３１Ａが第１電池モジュールＥ１と第２電池モジュールＥ２との接続状態を直列と並列とで切り替えるように構成されていたが、これに限らない。
【０１０２】
図７に示すように、アダプタ１５のバッテリー接続部１２Ａは、並列用接続部１２０ｐと、直列用接続部１２０ｓとを有している。
【０１０３】
並列用接続部１２０ｐは、正極入力端子１２１ｐ及び負極入力端子１２２ｐを備えている。並列用接続部１２０ｐにおいて、正極入力端子１２１ｐは、電池パック接続部１６の正極入力端子１６１と電気的に接続され、負極入力端子１２２ｐは、電池パック接続部１６の負極入力端子１６２と電気的に接続されている。
【０１０４】
直列用接続部１２０ｓは、正極入力端子１２１ｓ及び負極入力端子１２２ｓを備えている。直列用接続部１２０ｓにおいて、正極入力端子１２１ｓは、接続回路１３Ａ（スイッチＳＷ５）を介して工具接続部１１Ａの正極端子１１１Ａと電気的に接続され、負極入力端子１２２ｓは、電池パック接続部１６の正極入力端子１６１と電気的に接続されている。
【０１０５】
スイッチＳＷ５は、ｃ接点型スイッチであり、共通端子Ｔ５０と、第１端子Ｔ５１と、第２端子Ｔ５２と、を備えている。共通端子Ｔ５０は、工具接続部１１Ａの正極端子１１１Ａと電気的に接続されている。第１端子Ｔ５１は、電池パック接続部１６の正極入力端子１６１、及び並列用接続部１２０ｐの正極入力端子１２１ｐと電気的に接続されている。第２端子Ｔ５２は、直列用接続部１２０ｓの正極入力端子１２１ｓと電気的に接続されている。
【０１０６】
スイッチＳＷ５の共通端子Ｔ５０と第１端子Ｔ５１とが電気的に接続されている場合、電池パック１０Ｓの第１電池モジュールＥ１と、並列用接続部１２０ｐに装着された増設バッテリー２の第２電池モジュールＥ２とが並列接続される。また、スイッチＳＷ５の共通端子Ｔ５０と第２端子Ｔ５２とが電気的に接続されている場合、電池パック１０Ｓの第１電池モジュールＥ１と、直列用接続部１２０ｓに装着された増設バッテリー２の第２電池モジュールＥ２とが直列接続される。
【０１０７】
スイッチＳＷ５は、増設バッテリー２が装着された接続部（並列用接続部１２０ｐ、直列用接続部１２０ｓ）に応じて接続状態が機械的に切り替わるように構成されている。スイッチＳＷ５は、並列用接続部１２０ｐに増設バッテリー２が装着されている場合に、共通端子Ｔ５０と第１端子Ｔ５１とを電気的に接続する。スイッチＳＷ５は、直列用接続部１２０ｓに増設バッテリー２が装着されている場合に、共通端子Ｔ５０と第２端子Ｔ５２とを電気的に接続する。なお、スイッチＳＷ５は、上述した例と同様に、スイッチ制御部１３１Ａによって接続状態が切り替えられるように構成されていてもよい。
【０１０８】
（第２変形例）
図８に示すように、アダプタ１５のバッテリー接続部１２Ａは、増設バッテリー２を複数接続可能に構成されていてもよい。図８の例では、バッテリー接続部１２Ａは、第１接続部１２０ａと第２接続部１２０ｂとを有しており、２台の増設バッテリー２を接続可能に構成されている。
【０１０９】
第１接続部１２０ａは、正極入力端子１２１ａ及び負極入力端子１２２ａを備えている。第２接続部１２０ｂは、正極入力端子１２１ｂ及び負極入力端子１２２ｂを備えている。
【０１１０】
接続回路１３Ａは、スイッチＳＷ３、スイッチＳＷ４、スイッチＳＷ６、及びスイッチＳＷ７を備えている。
【０１１１】
スイッチＳＷ６は、ｃ接点型スイッチであり、共通端子Ｔ６０と、第１端子Ｔ６１と、第２端子Ｔ６２と、を備えている。共通端子Ｔ６０は、第１接続部１２０ａの正極入力端子１２１ａと電気的に接続されている。第１端子Ｔ６１は、工具接続部１１Ａの正極端子１１１Ａと電気的に接続されている。第２端子Ｔ６２は、第２接続部１２０ｂの負極入力端子１２２ｂと電気的に接続されている。
【０１１２】
スイッチＳＷ７は、一端が第１接続部１２０ａの負極入力端子１２２ａと電気的に接続され、他端が第２接続部１２０ｂの負極入力端子１２２ｂに接続されている。
【０１１３】
第１電池モジュールＥ１と２つの第２電池モジュールＥ２とを並列接続する場合、スイッチ制御部１３１Ａは、スイッチＳＷ３を第１状態（共通端子Ｔ３０と第１端子Ｔ３１とが導通した状態）とし、スイッチＳＷ４をオン状態とする。さらに、スイッチ制御部１３１Ａは、スイッチＳＷ６を第１状態（共通端子Ｔ６０と第１端子Ｔ６１とが導通した状態）とし、スイッチＳＷ７をオン状態とする。これにより、第１電池モジュールＥ１と２つの第２電池モジュールＥ２とが並列接続される。したがって、電池パック１０Ｓのみが電動工具本体３に電力を供給する場合に比べて、電動工具本体３に供給される電力量が増加する。これにより、電動工具本体３の使用時間の延長を図ることができる。また、第１電池モジュールＥ１と第２電池モジュールＥ２とが並列接続されることによって、電池パック１０Ｓのみが電動工具本体３に電力を供給する場合に比べて、電動工具本体３に供給する電流を増加させることができる。
【０１１４】
第１電池モジュールＥ１と２つの第２電池モジュールＥ２とを直列接続する場合、スイッチ制御部１３１Ａは、スイッチＳＷ３を第２状態（共通端子Ｔ３０と第２端子Ｔ３２とが導通した状態）とし、スイッチＳＷ４をオフ状態とする。さらに、スイッチ制御部１３１Ａは、スイッチＳＷ６を第２状態（共通端子Ｔ６０と第２端子Ｔ６２とが導通した状態）とし、スイッチＳＷ７をオフ状態とする。これにより、第１電池モジュールＥ１と２つの第２電池モジュールＥ２とが直列接続される。したがって、電池パック１０Ｓのみが電動工具本体３に電力を供給する場合に比べて、電動工具本体３に供給される電力量が増加、より具体的には電動工具本体３に印加される電圧が増加する。
【０１１５】
・まとめ
第１態様に係る電池ユニット（１，１Ａ）は、電動工具本体（３）に取り外し可能に取り付けられる。電池ユニット（１，１Ａ）は、第１電池モジュール（Ｅ１）と、工具接続部（１１，１１Ａ）と、バッテリー接続部（１２，１２Ａ）と、接続回路（１３，１３Ａ）と、を備える。工具接続部（１１，１１Ａ）は、電動工具本体（３）と電気的に接続される。バッテリー接続部（１２，１２Ａ）は、第２電池モジュール（Ｅ２）を有する増設バッテリー（２）が電気的に接続される。接続回路（１３，１３Ａ）は、第１電池モジュール（Ｅ１）及び第２電池モジュール（Ｅ２）を、工具接続部（１１，１１Ａ）に対して、電気的に直列又は並列に接続する。
【０１１６】
この態様によれば、増設バッテリー（２）が装着されることにより、第１電池モジュール（Ｅ１）と第２電池モジュール（Ｅ２）とを電動工具本体（３）に電気的に接続することができ、電動工具本体（３）に供給する電力量の調整が可能となる。
【０１１７】
第２態様に係る電池ユニット（１，１Ａ）では、第１態様において、接続回路（１３，１３Ａ）は、第１電池モジュール（Ｅ１）及び第２電池モジュール（Ｅ２）の接続状態を、直列と並列とで切替可能である。
【０１１８】
この態様によれば、電動工具本体（３）に供給する電流の増加、又は電動工具本体（３）に印加する電圧の増加を図ることができる。
【０１１９】
第３態様に係る電池ユニット（１，１Ａ）では、第１又は第２態様において、増設バッテリー（２）は、電動工具本体（３）に対して直接的に取り付け可能である。
【０１２０】
この態様によれば、電動工具本体（３）に取り付け可能な増設バッテリー（２）を、電池ユニット（１，１Ａ）に装着することができ、利便性が向上する。
【０１２１】
第４態様に係る電池ユニット（１，１Ａ）では、第１〜第３態様において、バッテリー接続部（１２，１２Ａ）は、増設バッテリー（２）を複数接続可能である。
【０１２２】
この態様によれば、第１電池モジュール（Ｅ１）と複数の第２電池モジュール（Ｅ２）との出力電力とを合わせて電動工具本体（３）に供給することができ、電動工具本体（３）に供給する電力量の調整が可能となる。
【０１２３】
第５態様に係る電池ユニット（１，１Ａ）では、第１〜第４態様において、第１電池モジュール（Ｅ１）と第２電池モジュール（Ｅ２）との間で過電流が流れることを抑制する保護回路（１４，１４Ａ）を、更に備える。
【０１２４】
この態様によれば、第１電池モジュール（Ｅ１）と第２電池モジュール（Ｅ２）との間で過電流が流れることを抑制することができる。
【０１２５】
第６態様に係る電池ユニット（１）では、第１〜第５態様において、第１電池モジュール（Ｅ１）を収容し、工具接続部（１１）及びバッテリー接続部（１２）を含む筐体（１０１）を、更に備える。
【０１２６】
この態様によれば、単体でも電動工具本体（３）に電力を供給可能な電池パックに、増設バッテリー（２）を装着することができる。
【０１２７】
第７態様に係る電池ユニット（１Ａ）では、第１〜第５態様において、電池パック（１０Ｓ）と、アダプタ（１５）と、を更に備える。電池パック（１０Ｓ）は、第１電池モジュール（Ｅ１）を有する。アダプタ（１５）は、工具接続部（１１Ａ）及びバッテリー接続部（１２Ａ）を有する。アダプタ（１５）は、電池パック（１０Ｓ）が電気的に接続される電池パック接続部（１６）を更に有する。
【０１２８】
この態様によれば、アダプタ（１５）を介して、第１電池モジュール（Ｅ１）と第２電池モジュール（Ｅ２）とを電動工具本体（３）に電気的に接続することができる。
【０１２９】
第８態様に係るアダプタ（１５）は、第７態様に係る電池ユニット（１Ａ）に用いられる。
【０１３０】
この態様によれば、第１電池モジュール（Ｅ１）と第２電池モジュール（Ｅ２）とを電動工具本体（３）に電気的に接続することができ、電動工具本体（３）に供給する電力量の調整が可能となる。
【０１３１】
第９態様に係る電動工具システム（１００）は、第１〜第７態様に係る電池ユニット（１，１Ａ）と、電動工具本体（３）と、を備える。
【０１３２】
この態様によれば、電動工具本体（３）に供給する電力量の調整が可能となる。
【０１３３】
第１０態様に係る充電システム（４００）は、第１〜第７態様に係る電池ユニット（１，１Ａ）と、第１電池モジュール（Ｅ１）を充電する充電器（４）と、を備える。
【０１３４】
この態様によれば、第１電池モジュール（Ｅ１）を充電することができる。
【符号の説明】
【０１３５】
１，１Ａ  電池ユニット
１０Ｓ  電池パック
１１，１１Ａ  工具接続部
１２，１２Ａ  バッテリー接続部
１３，１３Ａ  接続回路
１４，１４Ａ  保護回路
１５  アダプタ
１６  電池パック接続部
１００  電動工具システム
１０１  筐体
２  増設バッテリー
３  電動工具本体
４  充電器
４００  充電システム
Ｅ１  第１電池モジュール
Ｅ２  第２電池モジュール
【図１】
2020089111.tif 000003
【図２】
2020089111.tif 000004
【図３】
2020089111.tif 000005
【図４】
2020089111.tif 000006
【図５】
2020089111.tif 000007
【図６】
2020089111.tif 000008
【図７】
2020089111.tif 000009
【図８】
2020089111.tif 000010